(57)【要約】【課題】小型化を図るとともに無駄なスペースの発生を抑制する。【解決手段】第１、第２のアクチュエータ７６Ａ、７６Ｂが制御部１３６によって駆動されることで第１、第２のアーム７２，７４が揺動されると、第１、第２の絞り羽根６２，６４がガイドピン６８１０および側面６８１２によってガイドされ、第１、第２の絞り羽根６２，６４は互いに逆向きに直線移動される。第１、第２の絞り羽根６２，６４が互いに逆向きに直線移動することにより第１、第２の絞り羽根６２，６４の開口形成用縁部６２０２，６４０６が離間接近する方向に移動して開口６６の大きさが変化し、これにより開口６６を通過する光束の光量制御が行われる。【選択図】        図１１
2006184614.tif 000002
【特許請求の範囲】
【請求項１】
第１、第２の絞り羽根と、
前記第１、第２の絞り羽根により形成されそれら第１、第２の絞り羽根が同一の方向で互いに逆向きに移動されることで大きさが変化する開口と、
前記第１、第２の絞り羽根を前記同一の方向に移動可能に支持する支持手段と、
前記第１、第２の絞り羽根を前記同一の方向で互いに逆向きに移動させる駆動手段とを有する絞り装置であって、
前記駆動手段は、前記第１の絞り羽根に連結され揺動することで前記第１の絞り羽根を移動させる第１のアームと、前記第１のアームとは別体で前記第２の絞り羽根に連結され揺動することで前記第２の絞り羽根を移動させる第２のアームと、前記第１のアームおよび第２のアームを互いに逆向きの方向に揺動させる動力源とを備えている、
ことを特徴とする絞り装置。
【請求項２】
前記第１、第２の絞り羽根は前記支持手段により直線移動可能に支持されていることを特徴とする請求項１記載の絞り装置。
【請求項３】
前記第１、第２のアームは前記同一の方向および前記同一の方向と直交する方向にそれぞれ間隔をおいて配置されていることを特徴とする請求項１記載の絞り装置。
【請求項４】
前記動力源は、前記第１のアームの長さ方向の一端に前記一端を支点として前記第１のアームを揺動させる第１のアクチュエータと、前記第２のアームの長さ方向の一端に前記一端を支点として前記第１のアームの揺動方向と反対の方向に前記第２のアームを揺動させる第２のアクチュエータとで構成されていることを特徴とする請求項１記載の絞り装置。
【請求項５】
前記動力源は、前記第１のアームの長さ方向の一端に前記一端を支点として前記第１のアームを揺動させる第１のアクチュエータと、前記第２のアームの長さ方向の一端に前記一端を支点として前記第１のアームの揺動方向と反対の方向に前記第２のアームを揺動させる第２のアクチュエータとで構成され、前記第１のアームの長さ方向の他端は、ピンと長溝を介して前記第１の絞り羽根に連結され、前記第２のアームの長さ方向の他端は、ピンと長溝を介して前記第２の絞り羽根に連結されていることを特徴とする請求項１記載の絞り装置。
【請求項６】
前記動力源は単一のアクチュエータで構成され、前記駆動手段は、前記アクチュエータの動力を前記第１のアームと第２のアームに伝達し前記アクチュエータの動力により前記第１のアームと第２のアームが互いに逆向きの方向に揺動させる動力伝達機構を備えていることを特徴とする請求項１記載の絞り装置。
【請求項７】
前記第１、第２のアームは前記同一の方向および前記同一の方向と直交する方向にそれぞれ間隔をおいて配置され、前記動力源は単一のモータで構成されて前記第１、第２のアームの間に配置され、前記駆動手段は、前記アクチュエータの動力を前記第１のアームと第２のアームに伝達し前記アクチュエータの動力により前記第１のアームと第２のアームが互いに逆向きの方向に揺動させる動力伝達機構を備え、前記動力伝達機構は、前記モータの出力軸に取着された駆動歯車と、それぞれ第１、第２のアームに取着され前記駆動歯車の対向する箇所に噛合する従動歯車とで構成されていることを特徴とする請求項１記載の絞り装置。
【請求項８】
厚さとこの厚さよりも大きい寸法の幅とこの幅よりも大きい寸法の長さを有する平板形状の鏡筒と、
前記厚さ方向の一方の面をなす前記鏡筒の前面に設けられた対物レンズと、
前記鏡筒の内部で前記長さ方向において前記対物レンズが設けられた箇所とは異なる箇所に設けられた撮像素子と、
前記鏡筒の内部に設けられ前記対物レンズで捉えた被写体像を前記撮像素子に導く光学系と、
前記光学系の光路上に設けられた絞り装置とを備えるレンズ鏡筒であって、
前記絞り装置は、
第１、第２の絞り羽根と、
前記第１、第２の絞り羽根により前記光路の光軸上に形成されそれら第１、第２の絞り羽根が前記鏡筒の幅方向で互いに逆向きに移動されることで大きさが変化する開口と、
前記第１、第２の絞り羽根を前記鏡筒の幅方向に移動可能に支持する支持手段と、
前記第１、第２の絞り羽根を前記鏡筒の幅方向で互いに逆向きに移動させる駆動手段とを有し、
前記駆動手段は、前記第１の絞り羽根に連結され揺動することで前記第１の絞り羽根を移動させる第１のアームと、前記第１のアームとは別体で前記第２の絞り羽根に連結され揺動することで前記第２の絞り羽根を移動させる第２のアームと、前記第１のアームおよび第２のアームを互いに逆向きの方向に揺動させる動力源とを備えている、
ことを特徴とするレンズ鏡筒。
【請求項９】
厚さとこの厚さよりも大きい寸法の幅とこの幅よりも大きい寸法の長さを有する平板形状の鏡筒と、
前記厚さ方向の一方の面をなす前記鏡筒の前面に設けられた対物レンズと、
前記鏡筒の内部で前記長さ方向において前記対物レンズが設けられた箇所とは異なる箇所に設けられた撮像素子と、
前記鏡筒の内部に設けられ前記対物レンズで捉えた被写体像を前記撮像素子に導く光学系と、
前記光学系の光路上に設けられた絞り装置とを備えるレンズ鏡筒を有する撮像装置であって、
前記絞り装置は、
第１、第２の絞り羽根と、
前記第１、第２の絞り羽根により前記光路の光軸上に形成されそれら第１、第２の絞り羽根が前記鏡筒の幅方向で互いに逆向きに移動されることで大きさが変化する開口と、
前記第１、第２の絞り羽根を前記鏡筒の幅方向に移動可能に支持する支持手段と、
前記第１、第２の絞り羽根を前記鏡筒の幅方向で互いに逆向きに移動させる駆動手段とを有し、
前記駆動手段は、前記第１の絞り羽根に連結され揺動することで前記第１の絞り羽根を移動させる第１のアームと、前記第１のアームとは別体で前記第２の絞り羽根に連結され揺動することで前記第２の絞り羽根を移動させる第２のアームと、前記第１のアームおよび第２のアームを互いに逆向きの方向に揺動させる動力源とを備えている、
ことを特徴とする撮像装置。
【発明の詳細な説明】
【技術分野】
【０００１】
本発明は絞り装置、レンズ鏡筒および撮像装置に関する。
【背景技術】
【０００２】
撮像装置の光学系の光路上に設けられ、この光路に沿って進行する光束の光量を調整する絞り装置がある。
このような絞り装置として、２つの絞り羽根により形成される開口の大きさ（開口径）を、これら２つの絞り羽根を動かすことにより調節するものが知られている。
このような２つの絞り羽根を用いた絞り装置として、図１４、図１５に示すように、長さと長さよりも小さい寸法の幅を有するケーシング６と、ケーシング６内部に収容され前記長さ方向にスライド可能に保持される２つの絞り羽根２，４と、ケーシング６内部に収容される単一の駆動アーム８と、ケーシング６に取着され駆動アーム８を揺動するモータ９とを有するものが提案されている（特許文献１参照）。
揺動アーム８は、その長手方向の両端が揺動アーム８に設けられた連結ピン８Ａと各絞り羽根２，４に設けられた長溝２Ａ、４Ａを介して連結され、長手方向の中心がモータ９の駆動軸に結合されている。
この絞り装置では、モータ９によって揺動アーム８が揺動されることにより、絞り羽根２，４が前記長さ方向に沿って互いに接近する方向、あるいは、互いに離間する方向にスライドすることにより、絞り羽根２，４により形成される開口５の大きさが変化する。
【特許文献１】特開２００３−３４４８９５号公報
【発明の開示】
【発明が解決しようとする課題】
【０００３】
このような絞り装置では、絞り羽根２，４の前記長さ方向に沿った移動ストロークを確保するために、揺動アーム８の長手方向の寸法を大きく確保することが必要となる。
したがって、図１４に示すように、絞り羽根２，４を収容するケーシング６部分の幅方向の寸法Ｗ１に対して、揺動アーム８を収容するケーシング６部分の幅方向の寸法Ｗ２が大きなものとなっている。
このような絞り装置を撮像装置のレンズ鏡筒に組み込んだ場合、レンズ鏡筒の外形寸法は、揺動アーム８を収容するケーシング６部分の幅方向の寸法Ｗ２で決定されることになり、レンズ鏡筒の小型化、ひいては撮像装置の小型化を図る上で不利があった。
また、絞り羽根２，４を収容するケーシング６部分と、揺動アーム８を収容するケーシング６部分との間に段差が生じるため、レンズ鏡筒を撮像装置などに組み込んだ場合にレンズ鏡筒の周囲に部品や部材の効率的な配置を行うことが難しく、無駄なスペースが生じやすい点からも撮像装置の小型化を図る上で不利であった。
本発明はこのような事情に鑑みなされたものであり、小型化を図るとともに無駄なスペースの発生を抑制する上で有利な絞り装置、レンズ鏡筒および撮像装置を提供することにある。
【課題を解決するための手段】
【０００４】
上述の目的を達成するため、本発明の絞り装置は、第１、第２の絞り羽根と、前記第１、第２の絞り羽根により形成されそれら第１、第２の絞り羽根が同一の方向で互いに逆向きに移動されることで大きさが変化する開口と、前記第１、第２の絞り羽根を前記同一の方向に移動可能に支持する支持手段と、前記第１、第２の絞り羽根を前記同一の方向で互いに逆向きに移動させる駆動手段とを有する絞り装置であって、前記駆動手段は、前記第１の絞り羽根に連結され揺動することで前記第１の絞り羽根を移動させる第１のアームと、前記第１のアームとは別体で前記第２の絞り羽根に連結され揺動することで前記第２の絞り羽根を移動させる第２のアームと、前記第１のアームおよび第２のアームを互いに逆向きの方向に揺動させる動力源とを備えていることを特徴とする。
また、本発明のレンズ鏡筒は、厚さとこの厚さよりも大きい寸法の幅とこの幅よりも大きい寸法の長さを有する平板形状の鏡筒と、前記厚さ方向の一方の面をなす前記鏡筒の前面に設けられた対物レンズと、前記鏡筒の内部で前記長さ方向において前記対物レンズが設けられた箇所とは異なる箇所に設けられた撮像素子と、前記鏡筒の内部に設けられ前記対物レンズで捉えた被写体像を前記撮像素子に導く光学系と、前記光学系の光路上に設けられた絞り装置とを備えるレンズ鏡筒であって、前記絞り装置は、第１、第２の絞り羽根と、前記第１、第２の絞り羽根により前記光路の光軸上に形成されそれら第１、第２の絞り羽根が前記鏡筒の幅方向で互いに逆向きに移動されることで大きさが変化する開口と、前記第１、第２の絞り羽根を前記鏡筒の幅方向に移動可能に支持する支持手段と、前記第１、第２の絞り羽根を前記鏡筒の幅方向で互いに逆向きに移動させる駆動手段とを有し、前記駆動手段は、前記第１の絞り羽根に連結され揺動することで前記第１の絞り羽根を移動させる第１のアームと、前記第１のアームとは別体で前記第２の絞り羽根に連結され揺動することで前記第２の絞り羽根を移動させる第２のアームと、前記第１のアームおよび第２のアームを互いに逆向きの方向に揺動させる動力源とを備えていることを特徴とする。
また、本発明の撮像装置は、厚さとこの厚さよりも大きい寸法の幅とこの幅よりも大きい寸法の長さを有する平板形状の鏡筒と、前記厚さ方向の一方の面をなす前記鏡筒の前面に設けられた対物レンズと、前記鏡筒の内部で前記長さ方向において前記対物レンズが設けられた箇所とは異なる箇所に設けられた撮像素子と、前記鏡筒の内部に設けられ前記対物レンズで捉えた被写体像を前記撮像素子に導く光学系と、前記光学系の光路上に設けられた絞り装置とを備えるレンズ鏡筒を有する撮像装置であって、前記絞り装置は、第１、第２の絞り羽根と、前記第１、第２の絞り羽根により前記光路の光軸上に形成されそれら第１、第２の絞り羽根が前記鏡筒の幅方向で互いに逆向きに移動されることで大きさが変化する開口と、前記第１、第２の絞り羽根を前記鏡筒の幅方向に移動可能に支持する支持手段と、前記第１、第２の絞り羽根を前記鏡筒の幅方向で互いに逆向きに移動させる駆動手段とを有し、前記駆動手段は、前記第１の絞り羽根に連結され揺動することで前記第１の絞り羽根を移動させる第１のアームと、前記第１のアームとは別体で前記第２の絞り羽根に連結され揺動することで前記第２の絞り羽根を移動させる第２のアームと、前記第１のアームおよび第２のアームを互いに逆向きの方向に揺動させる動力源とを備えていることを特徴とする。
【発明の効果】
【０００５】
そのため、本発明によれば、駆動手段が第１の絞り羽根を移動させる第１のアームと、第１のアームとは別体で第２の絞り羽根を移動させる第２のアームと、第１のアームおよび第２のアームを互いに逆向きの方向に揺動させる動力源とを備えて構成されている。
したがって、第１のアームと第２のアームとを第１、第２の絞り羽根の移動方向に並べて配置することができ、絞り装置の第１、第２の絞り羽根の移動方向と直交する方向の寸法を削減することができ、第１、第２の絞り羽根の移動方向と直交する方向の寸法を大きくすることなく絞第１、第２の絞り羽根の移動ストロークを大きく確保することができる。
【発明を実施するための最良の形態】
【０００６】
小型化を図るとともに無駄なスペースの発生を抑制するという目的を、駆動手段を、第１の絞り羽根を移動させる第１のアームと、第１のアームとは別体で第２の絞り羽根を移動させる第２のアームと、第１のアームおよび第２のアームを互いに逆向きの方向に揺動させる動力源とを設けることで実現した。
【実施例１】
【０００７】
次に本発明の実施例１について図面を参照して説明する。
本実施例では、本発明の絞り装置が設けられたレンズ鏡筒が撮像装置に組み込まれている場合について説明する。
図１は実施例１の撮像装置を前方から見た斜視図、図２は実施例１の撮像装置を後方から見た斜視図、図３は撮像装置の制御系を示すブロック図である。
図１、図２に示すように、撮像装置１００はデジタルスチルカメラであって、外装を構成する矩形板状のケース１０２を有し、ケース１０２は、前側ケース１０２Ａと後側ケース１０２Ｂとが合わせられて構成され、前側ケース１０２Ａによりケース１０２の前面が構成され、後側ケース１０２Ｂによりケース１０２の後面が構成されている。なお、本明細書においてケース１０２の前後方向は被写体側を前方、被写体側と反対側を後方といい、ケース１０２の左右方向はケース１０２を前方から見た状態でいうものとする。
ケース１０２内の右側部には、図中二点鎖線で示すように、レンズ鏡筒１０が組み込まれており、レンズ鏡筒１０には、対物レンズ１４と、撮像素子１２８と、対物レンズ１４で捉えた被写体像を撮像素子１２８に導く光学系１０４と、本発明に係る絞り装置６０（図６、図７）などが設けられている。
対物レンズ１４は前側ケース１０２Ａに設けられたレンズ窓１０３を介してケース１０２前方に臨んで配置されている。
ケース１０２の前面右寄りの箇所には、撮影補助光を出射するフラッシュ１０８、セルフタイマーランプ１１０などが設けられている。
ケース１０２の前面にはカバー１１２が上下にスライド可能に設けられ、このカバー１１２は、図１に示すようにレンズ窓１０３、フラッシュ１０８、セルフタイマーランプ１１０を前方に露出させる下限位置と、これらレンズ窓１０３、フラッシュ１０８、セルフタイマーランプ１１０を覆う上限位置とにスライドされる。
ケース１０２の上面の左寄り箇所には、シャッターボタン１１４、電源ボタン１１６などが設けられている。
ケース１０２の後面には静止画および動画などの画像や文字や記号などが表示されるディスプレイ１１８（液晶表示器）、撮影光学系１０４のズーミング動作を行なわせるためのズームスイッチ１２０、各種操作を行なうための十字スイッチ１２２および複数の操作ボタン１２４が設けられている。
ケース１０２の左側面には、撮像装置１００を静止画撮影モード、動画撮影モード、再生・編集モードなどに切り替えるためのモードスイッチ１２６が設けられている。
ケース１０２の下面には、静止画あるいは動画などの画像などを記録するためのメモリカード１３２を装脱可能に収容するメモリ収容室（不図示）と、撮像装置１００の電源を構成するバッテリーを装脱可能に収容するバッテリー収容室（不図示）とがケース１０２の前後方向（厚さ方向）に並べて設けられている。
【０００８】
図３に示すように、撮像素子１２８は、光学系１０４によって結像された被写体像を撮像するＣＣＤやＣＭＯＳセンサなどで構成されている。
撮像素子１２８で撮像された像は撮像信号として画像処理部１３０に出力され、画像処理部１３０ではこの撮像信号に基づいて静止画あるいは動画の画像データが生成され、メモリカード（記憶媒体）１３２に記録される。また、前記画像データは表示処理部１３４によりディスプレイ１１８に表示される。
さらに、撮像装置１００は、シャッタボタン１１４、十字スイッチ１２２、操作ボタン１２４、モードスイッチ１２６の操作に応じて、画像処理部１３０、表示処理部１３４を制御するＣＰＵなどを含む制御部１３６を備えている。
【０００９】
図４はレンズ鏡筒１０を斜め前方から見た斜視図、図５はレンズ鏡筒１０を斜め後方から見た斜視図、図６は図４のＸＸ線断面図、図７は図４のＹＹ線断面図、図８はズーム用可動レンズ群１８、フォーカス用可動レンズ群２０の斜視図である。
【００１０】
図４〜図６に示すように、レンズ鏡筒１０は、鏡筒１２と、対物レンズ１４と、撮像素子１２８と、光学系１０４と、絞り装置６０とを含んで構成されている。
本実施例では、図６〜図８に示すように、光学系１０４は、反射部材１６と、ズーム用可動レンズ群１８と、フォーカス用可動レンズ群２０と、第１の固定レンズ群２２と、第２の固定レンズ群２４と、第３の固定レンズ群２６と、ズーム用可動レンズ群１８用の案内機構２８と、フォーカス用可動レンズ群２０用の案内機構３０とを備えている。
さらに、ズーム用可動レンズ群１８を移動させる駆動手段３２と、フォーカス用可動レンズ群２０を移動させる駆動手段３４とが設けられている。
【００１１】
図４、図５に示すように、鏡筒１２は、全体として左右方向の幅および上下方向の長さ並びに前記幅および長さよりも小さな寸法の前後方向の厚さを有する平板形状を呈しており、断面が矩形であり、対物レンズ１４と撮像素子１２８と光学系１０４とは鏡筒１２の幅方向の中央部で鏡筒１２の長さ方向に沿って並べられて配置されている。
鏡筒１２は、長さ方向において分割された上側に位置する第１鏡筒分割体１２０２と下側に位置する第２鏡筒分割体１２０４と、これら２つの鏡筒分割体１２０２，１２０４の間に挟まれる絞り装置６０のケーシング６８とで構成されている。
本実施例では、鏡筒１２の上下方向の中央部に絞り装置６０が位置し、鏡筒１２の前面が撮像装置１００のケース１０２の前面に平行し、鏡筒１２の後面がケース１０２の後面に平行し、鏡筒１２の幅方向の両側面が左側面、右側面となっている。
本実施例では、これら第１、第２鏡筒分割体１２０２，１２０４、絞り装置６０のケーシング６８は合成樹脂材料によって形成されている。
【００１２】
図６、図７に示すように、第１鏡筒分割体１２０２の内部には、下面に開放状の部品収容空間１２０２Ａが設けられており、対物レンズ１４はその前面側にレンズ押え（不図示）が位置し後面側に遮光枠（不図示）が位置した状態で、第１鏡筒分割体１２０２の前面の上部でかつ幅方向の中央部に取着されている。
反射部材１６は、対物レンズ１４で捉えた像を下部に向けて（撮像素子１２８側に）反射させるもので本実施例ではプリズムが用いられている。反射部材１６は、部品収容空間１２０２Ａで対物レンズ１４の後方に臨む箇所に配置されている。
本実施例では、被写体像を撮像素子１２８に導く光学系１０４の光路が、対物レンズ１４から後方に延在し反射部材１６の反射面に至る第１の光路部分と、反射部材１６の反射面から下方に延在し撮像素子１２８に至る第２の光路部分とで構成されている。
第１の固定レンズ群２２とズーム用可動レンズ群１８とは、部品収容空間１２０２Ａ内で反射部材１６の下方に配置されている。
第１の固定レンズ群２２は、第１鏡筒分割体１２０２の取付部に組み込まれる第１の固定レンズ２２０２と、この第１の固定レンズ２２０２を前記取付部に固定させる遮光枠を兼ねる押え部材（不図示）とで構成されている。
【００１３】
図８に示すように、ズーム用可動レンズ群１８は、第１のズームレンズ１８０２と、互いに貼り合わされた第２、第３のズームレンズ１８０４、１８０５と、これら第１、第２、第３のズームレンズ１８０２、１８０４、１８０５の外周部をカシメにより支持したズーム用レンズ枠１８０６とを有している。
ズーム用レンズ枠１８０６には、ロッド挿通孔１８１４が設けられている。また、ズーム用レンズ枠１８０６には、雌ねじを有する雌ねじ部材３６が鏡筒１２の長手方向に移動不能に結合される。
また、ズーム用レンズ枠１８０６には、係合溝１８１８が形成されている。
【００１４】
図６〜図９に示すように、ロッド挿通孔１８１４には、第１鏡筒分割体１２０２の長さ方向に延在する金属製のメインガイド軸３８が滑動可能に挿通されている。このメインガイド軸３８はその長さ方向の両端が第１鏡筒分割体１２０２の上面を構成する壁部と、絞り装置６０の蓋部６８４０の部分とで支持されている。メインガイド軸８３は第１、第２、第３のズームレンズ１８０２、１８０４、１８０５の光軸（第２の光路部分の光軸）と平行して延在しており、本実施例では第１鏡筒分割体１２０２の長さ方向に延在している。したがって、メインガイド軸４０はズーム用可動レンズ群１８を該ズーム用可動レンズ群１８の光軸方向に案内している。
係合溝１８１８には、第１鏡筒分割体１２０２の長さ方向に延在するサブガイド軸４０（図６）が滑動可能に挿通され、これによりズーム用レンズ群１８がメインガイド軸３８の回りに回転することが阻止される。
ズーム用可動レンズ群１８用の案内機構２８は、これらメインガイド軸３８とサブガイド軸４０によって構成されている。
【００１５】
図８に示すように、ズーム用可動レンズ群１８を移動させる駆動手段３２は、鏡筒１２の長さ方向に延在するホルダ３２０２と、ホルダ３２０２の上部に設けられたモータ３２０４と、ホルダ３２０２に沿って延在しモータ３２０４により回転駆動される雄ねじ部材３２０６とを有している。
ホルダ３２０２は第１鏡筒分割体１２０２の右側面の欠部に取着され、これにより雄ねじ部材３２０６が部品収容空間１２０２Ａに位置し、モータ３２０４は第１鏡筒分割体１２０２の上面に位置する。
雄ねじ部材３２０６は雌ねじ部材３６の前記雌ねじに螺合され、したがってモータ３２０４の正逆転によりズーム用可動レンズ群１８はメインガイド軸５０およびサブガイド軸５２に案内されつつそれらの光軸方向に沿って往復移動される。
【００１６】
図６、図７、図９に示すように、絞り装置６０の蓋部６８４０（図９）には第２の固定レンズ群２４がその光軸をズーム用可動レンズ群１８の光軸と一致させて取着され、また、第２固定レンズ群２４の後面に第１、第２の絞り羽根６２，６４が配置されている。
【００１７】
図６、図７に示すように、第２鏡筒分割体１２０４の内部には、上下に開放された部品収容空間１２０４Ａが形成されており、第２鏡筒分割体１２０４の下部に撮像素子取付板４６が取着されることでこの部品収容空間１２０４Ａの下端は閉塞されている。したがって、本実施例では、第２鏡筒分割体１２０４は撮像素子取付板４６を含んで構成されている。
フォーカス用可動レンズ群２０と第３の固定レンズ群２６は、部品収容空間１２０４Ａ内で第２鏡筒分割体１２０４の幅方向中央に位置する箇所に配置されている。
【００１８】
図８に示すように、フォーカス用可動レンズ群２０は、互いに貼り合わされた第１、第２のフォーカスレンズ２００２、２００４と、これら第１、第２のフォーカスレンズ２００２、２００４を支持するフォーカス用レンズ枠２００６とを有している。
フォーカス用レンズ枠２００６には、ロッド挿通孔２０１４が設けられている。また、フォーカス用レンズ枠２００６には、雌ねじ４８０４を有する雌ねじ部材４８が鏡筒１２の長手方向に移動不能に結合される。
また、フォーカス用レンズ枠２００６には、係合溝２０１８が形成されている。
【００１９】
図８に示すように、ロッド挿通孔２０１４には、第２鏡筒分割体１２０４の長さ方向に延在する金属製のメインガイド軸５０が滑動可能に挿通されている。このメインガイド軸５０はその長さ方向の両端が絞り装置６０のケーシング６８の壁部と、第２鏡筒分割体１２０４の下部に設けられた壁部とで支持されている。メインガイド軸５０は第１、第２のフォーカスレンズ２００２、２００４の光軸と平行して延在しており、本実施例では第２鏡筒分割体１２０４の長さ方向に延在している。したがって、メインガイド軸５０はフォーカス用可動レンズ群２０を該フォーカス用可動レンズ群２０の光軸方向に案内している。
図６に示すように、係合溝２０１８には、第２鏡筒分割体１２０４の長さ方向に延在するサブガイド軸５２が滑動可能に挿通され、これによりフォーカス用レンズ群２０がメインガイド軸５０の回りに回転することが阻止される。
フォーカス用可動レンズ群２０用の案内機構３０は、これらメインガイド軸５０とサブガイド軸５２によって構成されている。
【００２０】
図８に示すように、フォーカス用可動レンズ群２０を移動させる駆動手段３４は、鏡筒１２の長さ方向に延在するホルダ３４０２と、ホルダ３４０２の下部に設けられたモータ３４０４と、ホルダ３４０２に沿って延在しモータ３４０４により回転駆動される雄ねじ部材３４０６とを有している。
ホルダ３４０２は第２鏡筒分割体１２０４の右側面の欠部に取着され、これにより雄ねじ部材３４０６が部品収容空間１２０４Ａに位置し、モータ３４０４は第２鏡筒分割体１２０４の下部に位置する。
雄ねじ部材３４０６は雌ねじ部材４８の前記雌ねじに螺合され、したがってモータ３４０４の正逆転によりフォーカス用可動レンズ群２０はメインガイド軸５０およびサブガイド軸５２に案内されつつそれらの光軸方向に沿って往復移動される。
図６、図７に示すように、第３の固定レンズ群２６は、フォーカス用可動レンズ群２０の下方の部品収容空間１２０４Ａ箇所に配置され、第２鏡筒分割体１２０４の取付部に組み込まれる第３の固定レンズ２６０２と、この第３の固定レンズ２６０２を前記取付部に固定させる押え部材（不図示）とで構成されている。
【００２１】
図６、図７に示すように、撮像素子取付板４６は、部品収容空間１２０４Ａの下端を閉塞するように第２鏡筒分割体１２０４の下部に取着され、撮像素子１２８は、撮像素子取付板４６が部品収容空間１２０４Ａに臨む内面に配置されている。
【００２２】
次に本発明の要部である絞り装置６０について説明する。
図９は絞り装置６０の分解斜視図、図１０（Ａ）は第１の絞り羽根の平面図、（Ｂ）は第２の絞り羽根の平面図、図１１（Ａ）、（Ｂ）は絞り装置６０の動作説明図である。
図９に示すように、絞り装置６０は、第１、第２の絞り羽根６２，６４と、第１、第２の絞り羽根により形成される開口６６（図１１）と、第１、第２の絞り羽根６２，６４を開口６６の大きさが変化する方向に移動可能に支持するケーシング６８と、第１、第２の絞り羽根６２，６４を互いに逆向きに移動させる駆動手段７０とを有する。
【００２３】
第１、第２の絞り羽根６２，６４は共に合成樹脂製で、図１０（Ａ）に示すように、第１の絞り羽根６２は、左右方向の長さと、この長さよりも小さい寸法の前後方向の幅を有する薄板状の本体６２０１を有している。
本体６２０１の幅方向両側の縁部は互いに平行をなし均一の幅で左右方向に延在している。
本体６２０１の長さ方向の一方の端部には開口形成用縁部６２０２が湾曲状に形成されている。
第１の絞り羽根６２の幅方向の一辺寄りの箇所には長さ方向に直線状に延在するガイド溝６２０４が形成され、本体６２０１の長さ方向の他方の端部には幅方向に直線状に延在する連結用長溝６２０６が形成されている。
【００２４】
図１０（Ｂ）に示すように、第２の絞り羽根６４は、左右方向の長さと、この長さよりも小さい寸法の前後方向の幅を有する薄板状の本体６４０１を有している。
本体６４０１は、幅方向の寸法が第１の絞り羽根６２の本体６２０１の幅と同じ寸法の幅広部６４０２と、幅広部６４０２から幅広部６４０２の幅の約１／２の寸法で延在する幅狭部６４０４とを有している。
幅広部６４０２から幅狭部６４０４にわたり、開口形成用縁部６４０６が湾曲状に形成されている。
幅狭部６４０４の幅方向の一辺寄りの箇所には長さ方向に直線状に延在するガイド溝６４０８が形成され、幅狭部６４０４の長さ方向の端部には幅方向に直線状に延在する連結用長溝６４１０が形成されている。
【００２５】
図９に示すように、ケーシング６８は、左右方向の長さと、この長さよりも小さい寸法の前後方向の幅と、この幅よりも小さい寸法の上下方向の厚さを有するブロック状に構成されたケーシング本体６８０２と、ケーシング本体６８０２の厚さ方向の一方に取着される蓋部６８４０とを有している。
蓋部６８４０は、厚さ方向から見てケーシング本体６８０２と同一の輪郭で形成され、幅方向の一方寄り箇所に設けられた開口６８４２に第２の固定レンズ群２４が取着され、幅方向の他方寄り箇所には、円弧状の第１、第２の溝６８４４，６８４６が形成されている。これら第１、第２の溝６８４４，６８４６は後述する第１、第２のアームのピン７２０６，７４０６の軌跡に沿って形成されこれら第１、第２のアームのピン７２０６，７４０６を逃がすためのものである。
ケーシング本体６８０２は、厚さ方向の一方の面に矩形状に窪み第１、第２の絞り羽根６２，６４などを収容する収容凹部６８０４が形成され、収容凹部６８０４の底面６８０６の長さ方向の一方寄りの箇所には、蓋部６８４０がケーシング本体６８０２に取着された状態で、第２の固定レンズ群２４の光軸が通るように開口６８０８が設けられている。
底面６８０６にはガイドピン６８１０が突設されている。
収容凹部６８０４の幅方向の両側に位置する側面６８１２の間隔は、第１の絞り羽根６２および第２の絞り羽根６４をそれら絞り羽根６２，６４の長さ方向に案内できるように、第１の絞り羽根６２および第２の絞り羽根６４の幅方向の寸法よりも僅かに大きな寸法で形成されている。詳細には、両側面６８１２に膨出形成された凸部６８１６に第１の絞り羽根６２および第２の絞り羽根６４の両側が接触した状態でそれらの長さ方向に案内される。
第１の絞り羽根６２および第２の絞り羽根６４は、第１の絞り羽根６２が底面６８０６側に位置するように重ね合わされた状態で収容凹部６８０４に収容される。
詳細には、第１の絞り羽根６２および第２の絞り羽根６４は、ガイド溝６２０４，６４０８を合致させ、それらの長さ方向および幅方向をケーシング本体６８０２の長さ方向および幅方向に合致させ、さらに、ガイド溝６２０４，６４０８にガイドピン６８１０が挿通させた状態で収容凹部６８０４に収容される。
これにより、第１の絞り羽根６２および第２の絞り羽根６４は、それらの幅方向の両縁部が収容凹部６８０４の両側面６８１２（両凸部６８１６）に案内されるとともに、ガイド溝６２０４，６４０８がガイドピン６８１０に案内されることで、開口形成用縁部６２０２，６４０４で形成される開口６６（図１１）の大きさが変化する方向に直線移動可能にケーシング６８に収容保持されている。本実施例では、ケーシング６８やガイドピン６８１０により特許請求の範囲の支持手段が構成されている。また、第１の絞り羽根６２および第２の絞り羽根６４の移動方向（長さ方向）は、鏡筒１２の幅方向あるいは撮像装置１００の幅方向となっている。
また、ケーシング本体６８０２の底面６８０６には第１の絞り羽根６２に接触する複数のレール６８１４，６８１８が底面６８０６から突設され、第１の絞り羽根６２が一方のレール６８１４上を摺動し、第２の絞り羽根６４が他方のレール６８１８上を摺動することで円滑に移動できるようになっている。
開口６８１０と反対側に位置する底面６８０６には、駆動手段７０を収容するための第１の凹部６８２０と第２の凹部６８２２が設けられている。
【００２６】
駆動手段７０は、第１の絞り羽根６２を移動させる第１のアーム７２と、第１のアーム７２とは別体で第２の絞り羽根６４を移動させる第２のアーム７４と、第１のアーム７２および第２のアーム７４を互いに逆向きの方向に揺動させる動力源７６とを備えている。
第１のアーム７２は、揺動支点となる基部７２０２と、基部７２０２を中心に揺動する先部７２０４とを有し、先部７２０４に設けられたピン７２０６が第１の絞り羽根６２の連結用長溝６２０６に係合され、第１のアーム７２が揺動することで第１の絞り羽根６２がガイドピン６８１０や両側面６８１２（両凸部６８１６）に案内されて直線移動するように構成されている。本実施例では、第１のアーム７２のピン７２０６は第１の絞り羽根６２の連結用長溝６２０６を介して蓋部６８４０の第１の溝６８４４に挿通されている。
第２のアーム７４は、第１の絞り羽根６２および第２の絞り羽根６４の移動方向で第１のアーム７２よりも開口６８０８から離れた箇所に配置されている。言い換えると、第１のアーム７２と第２のアーム７４とは第１、第２の絞り羽根６２，６４の移動方向に並べられて配置され、第１のアーム７２の基部７２０２と第２のアーム７４の基部７４０４２とは幅方向において異なった箇所に配置されている。
第２のアーム７４は、揺動支点となる基部７４０２と、基部７４０２を中心に揺動する先部７４０４とを有し、先部７４０４に設けられたピン７４０６が第２の絞り羽根６４の連結用長溝６４１０に係合され、第２のアーム７４が揺動することで第２の絞り羽根６４がガイドピン６８１０や両側面６８１２（両凸部６８１６）に案内されて直線移動するように構成されている。実施例では、第２のアーム７４のピン７４０６は第２の絞り羽根６４の連結用長溝６２１０を介して蓋部６８４０の第２の溝６８４６に挿通されている。なお、第１の絞り羽根６２および第２の絞り羽根６４が直線移動する方向はケーシング６８の長さ方向であり同一の方向である。
【００２７】
動力源７６は、第１のアーム７２を揺動させる第１のアクチュエータ７６Ａと、第２のアーム７４を揺動させる第２のアクチュエータ７６Ｂとで構成されている。第１、第２のアクチュエータ７６Ａ、７６Ｂは、例えばパルスモータによって構成され上述した制御部１３６によってその駆動方向および駆動量が制御される（図３）。
これらアクチュエータ７６Ａ，７６Ｂは取り付け板７６０２を介してケーシング本体６８０２に取着されている。
第１のアーム７２は第１の凹部６８２０に収容され、第１のアクチュエータ７６Ａの出力軸が第１のアーム７２の長さ方向の基端７２０２に直結され、第２のアーム７４は第２の凹部６８２２に収容され、第２のアクチュエータ７６Ｂの出力軸が第２のアーム７４の長さ方向の基端７４０２に直結され、第１のアクチュエータ７６Ａにより第１のアーム７２が揺動されると共に、第２のアクチュエータ７６Ｂにより第１のアーム７２の揺動方向と反対の方向に第２のアーム７４を揺動させるように構成されている。
【００２８】
本実施例の絞り装置６０によれば、図１１に示すように、第１、第２のアクチュエータ７６Ａ、７６Ｂが制御部１３６によって駆動されることで第１、第２のアーム７２，７４が揺動されると、第１、第２の絞り羽根６２，６４がガイドピン６８１０および側面６８１２（両凸部６８１６）によってガイドされ、第１、第２の絞り羽根６２，６４は互いに逆向きに直線移動される。
第１、第２の絞り羽根６２，６４が互いに逆向きに直線移動することにより第１、第２の絞り羽根６２，６４の開口形成用縁部６２０２，６４０６が離間接近する方向に移動して開口６６の大きさが変化し、これにより開口６６を通過する光束の光量制御が行われる。
【００２９】
以上説明したように本実施例によれば、駆動手段７０は、第１の絞り羽根６２を移動させる第１のアーム７２と、第１のアーム７２とは別体で第２の絞り羽根６４を移動させる第２のアーム７４と、第１のアーム７２および第２のアーム７４を互いに逆向きの方向に揺動させる動力源７６とを備えて構成されている。
したがって、実施例のように第１のアーム７２と第２のアーム７４とを第１、第２の絞り羽根６２，６４の移動方向に並べて配置することができ、絞り装置６０の第１、第２の絞り羽根６２，６４の移動方向と直交する方向の寸法を削減することができる。
したがって第１、第２の絞り羽根６２，６４の移動方向と直交する方向の寸法を大きくすることなく絞第１、第２の絞り羽根６２，６４の移動ストロークを大きく確保することができる。
また、本実施例では、絞り装置６０の第１、第２の絞り羽根６２，６４の移動方向と直交する方向の寸法を削減することができるものの、第１、第２の絞り羽根６２，６４の移動方向における寸法（鏡筒１２の幅方向あるいは撮像装置１００の幅方向における絞り装置６０の寸法）が大きくなる場合も生じる。しかしながら、撮像装置１００のケース１０２内かつレンズ鏡筒１０外で第１、第２の絞り羽根６２，６４の移動方向の延長上箇所には、メモリ収容室、バッテリー収容室、回路基板などの撮像装置構成部が配置され、これら撮像装置構成部の形状の変更やレイアウトの自由度が大きいため、第１、第２の絞り羽根６２，６４の移動方向におけるレンズ鏡筒１０の寸法が大きくなってもケース１０２内でそれら撮像装置構成部の形状の変更やレイアウトによりその寸法を吸収でき、したがって、撮像装置１００のケース１０２の上下方向の高さおよび左右方向の幅を変えずに前後方向の厚さを短縮でき、撮像装置１００の小型化を図る上で有利である。
また、第１、第２の絞り羽根６２，６４を収容するケーシング６８部分と、第１、第２の揺動アーム７２，７４を収容するケーシング６８部分との間に段差が生じることがなく、レンズ鏡筒１０を撮像装置などに組み込んだ場合にレンズ鏡筒１０の周囲に部品や部材の効率的な配置を行う上で有利となる。
【実施例２】
【００３０】
次に本発明の実施例２について説明する。
実施例２が実施例１と異なるのは、実施例１の動力源７６が第１、第２のアクチュエータ７６Ａ，７６Ｂで構成されていたのに対して、実施例２では、動力源７６が単一のアクチュエータ７６Ｃで構成され、駆動手段７０が動力伝達機構を備えている点である。
図１２は実施例２における絞り装置６０の構成を示す分解斜視図、図１３（Ａ）、（Ｂ）は実施例２における絞り装置６０の動作説明図である。
以下では実施例１と同様の部材、箇所には同一の符号を付して説明し、実施例１と異なる部分についてのみ説明する。
第１、第２のアーム７２，７４は、実施例１と同様に第１、第２の絞り羽根６２，６４の移動方向および移動方向と直交する方向に間隔をおいて配置されている。
第１、第２のアーム７２，７４の基部７２０２，７４０２には従動歯車８０，８２がそれぞれ取着されている。
アクチュエータ７６Ｃは第１、第２のアーム７２，７４の間に配置されている。より詳細には、アクチュエータ７６Ｃは第１、第２のアーム７２，７４の基部７２０２，７４０２の間に配置されている
アクチュエータ７６Ｃは、制御部１３６によって駆動されるパルスモータで構成されている。
このパルスモータの出力軸に駆動歯車８４が取着され、駆動歯車８４の対向する箇所に従動歯車８０，８２がそれぞれ噛合している。実施例２では、動力伝達機構が駆動歯車８４、従動歯車８０，８２で構成されている。
実施例２によれば、前記パルスモータにより駆動歯車８４、従動歯車８０，８２を介して第１のアーム７２と第２のアーム７４が互いに逆向きの方向に揺動され、第１、第２の絞り羽根６２，６４は互いに逆向きに直線移動される。そして、第１、第２の絞り羽根６２，６４が互いに逆向きに直線移動することにより第１、第２の絞り羽根６２，６４の開口形成用縁部６２０２，６４０６が離間接近する方向に移動して開口６６の大きさが変化し、これにより開口６６を通過する光束の光量制御が行われる。
このような実施例２によっても実施例１と同様に、第１のアーム７２と第２のアーム７４とを第１、第２の絞り羽根６２，６４の移動方向に並べて配置することができ、絞り装置６０の第１、第２の絞り羽根６２，６４の移動方向と直交する方向の寸法を削減することができ、第１、第２の絞り羽根６２，６４の移動方向と直交する方向の寸法を大きくすることなく第１、第２の絞り羽根６２，６４の移動ストロークを大きく確保することができる。
また、撮像装置１００のケース１０２の上下方向の高さおよび左右方向の幅を変えずに前後方向の厚さを短縮でき、撮像装置１００の小型化を図る上で有利である。
また、ケーシング６８部分に段差が生じることがなく、レンズ鏡筒１０を撮像装置などに組み込んだ場合にレンズ鏡筒１０の周囲に部品や部材の効率的な配置を行う上で有利となる。
また、実施例２では前記動力伝達機構を有するものの動力源７０が単一のアクチュエータ７６Ｃで構成されているため、動力源７０が第１、第２のアクチュエータ７６Ａ、７６Ｂで構成された実施例１に比較してコストを削減する上で有利となる。
【００３１】
なお、実施例２では、第１のアーム７２に取着された従動歯車８０と、第２のアーム７４に取着された従動歯車８２との間に駆動歯車８４を配置し、この駆動歯車８４を単一のモータにより駆動した場合について説明したが、従動歯車８０あるいは従動歯車８２にモータを直結して何れか一方の従動歯車８０あるいは従動歯車８２を駆動し、この動力を駆動歯車８４を介して他方の従動歯車８２あるいは従動歯車８０に伝達するようにしてもよく、この場合には、一方の従動歯車８０あるいは従動歯車８２が駆動歯車となり、駆動歯車８４がアイドルギアとなる。
また、実施例においては、撮像装置としてデジタルスチルカメラを例示したが、本発明はビデオカメラやテレビカメラなど撮像装置に無論適用可能である。
【図面の簡単な説明】
【００３２】
【図１】実施例１の撮像装置を前方から見た斜視図である。
【図２】実施例１の撮像装置を後方から見た斜視図である。
【図３】撮像装置の制御系を示すブロック図である。
【図４】レンズ鏡筒１０を斜め前方から見た斜視図である。
【図５】レンズ鏡筒１０を斜め後方から見た斜視図である。
【図６】図４のＸＸ線断面図である。
【図７】図４のＹＹ線断面図である。
【図８】ズーム用可動レンズ群１８、フォーカス用可動レンズ群２０の斜視図である。
【図９】絞り装置６０の分解斜視図である。
【図１０】（Ａ）は第１の絞り羽根の平面図、（Ｂ）は第２の絞り羽根の平面図である。
【図１１】（Ａ）、（Ｂ）は絞り装置６０の動作説明図である。
【図１２】実施例２における絞り装置６０の構成を示す分解斜視図である。
【図１３】（Ａ）、（Ｂ）は実施例２における絞り装置６０の動作説明図である。
【図１４】従来の絞り装置の説明図である。
【図１５】従来の絞り装置の絞り羽根の説明図である。
【符号の説明】
【００３３】
１００……撮像装置、１０……レンズ鏡筒、１２……鏡筒、６０……絞り装置、６２……第１の絞り羽根、６４……第２の絞り羽根、６６……開口、６８……ケーシング、７０……駆動手段、７２……第１のアーム、７４……第２のアーム、７６……動力源。
【図１】
2006184614.tif 000003
【図２】
2006184614.tif 000004
【図３】
2006184614.tif 000005
【図４】
2006184614.tif 000006
【図５】
2006184614.tif 000007
【図６】
2006184614.tif 000008
【図７】
2006184614.tif 000009
【図８】
2006184614.tif 000010
【図９】
2006184614.tif 000011
【図１０】
2006184614.tif 000012
【図１１】
2006184614.tif 000013
【図１２】
2006184614.tif 000014
【図１３】
2006184614.tif 000015
【図１４】
2006184614.tif 000016
【図１５】
2006184614.tif 000017